(57)【特許請求の範囲】
【請求項１】
テーブル使用時には天板を水平に保持し、テーブル折り畳み時には天板を垂直に折り畳む、跳ね上げ構造の折畳み式テーブルにおいて、
天板の裏面に、左右パイプと奥行きパイプを配置した長方形状のベースフレームを固定し、該左右パイプの中央には取付具を固定し、この取付具に軸を支点に回動自在に脚柱の上端を取り付け、該脚柱の下端を底面にキャスターを取り付け、奥行き方向に配置された左右の脚部のほぼ中央に配置して脚柱を垂直に起立させ、テーブルを折り畳んだ時ネステイング可能に、左右の脚柱同士の脚部より上方位置を第１の横軸で連結し、
天板を水平に保持する時は、伸張部を上端部に設けた第１のリンク材とこれに隣接して配置される、ほぼ中間に屈曲部を設けた第２のリンク材とでＶ字状に保持するように、前記奥行きパイプのいずれか一方には前記第１のリンク材の伸張部の先端部を回動自在に取り付けると共に、他方の奥行きパイプには前記第２のリンク材の先端部を回動自在に取り付け、かつ第１及び第２のリンク材の下端部を前記第１の横軸に回動自在に取り付けたことを特徴とする折畳み式テーブル。
【請求項２】
脚柱の下端は、左右の脚部間を連結した第１の横軸に垂直に起立させたことを特徴とする請求項１に記載の折畳み式テーブル。
【請求項３】
第２のリンク材は、第１のリンク材より中央寄りに配置したことを特徴とする請求項１又は２に記載の折畳み式テーブル。
【請求項４】
テーブル使用時には天板を水平に保持し、テーブル折り畳み時には天板を垂直に折り畳む、跳ね上げ構造の折畳み式テーブルにおいて、
天板の裏面に、左右パイプと奥行きパイプを配置した長方形状のベースフレームを固定し、天板の中央裏面には、連結具を介して手前側に取っ手を設け、後側にストッパーを設けた、弾性部材の作用で奥行き方向に所定距離移動可能なスライドバーを固定した操作部を配置し、該左右パイプの中央には取付具を固定し、この取付具に軸を支点に回動自在に脚柱の上端を取り付け、該脚柱の下端を底面にキャスターを取り付けた奥行き方向に配置された左右の脚部のほぼ中央に配置して脚柱を垂直に起立させ、テーブルを折り畳んだ時ネステイング可能に、左右の脚柱同士の脚部より上方位置を第１の横軸で連結し、
天板を水平に保持する時は、伸張部を上端部に設けた第１のリンク材とこれに隣接して配置される、ほぼ中間に屈曲部を設けた第２のリンク材とでＶ字状に保持するように、奥行きパイプのいずれか一方には前記第１のリンク材の伸張部の先端部を回動自在に取り付けると共に、他方の奥行きパイプには前記第２のリンク材の先端部を回動自在に取り付け、第１及び第２のリンク材の下端部は第１の横軸に回動自在に取り付け、かつ前記第２のリンク材の屈曲部より下方部位同士を第２の横軸に連結し、この第２の横軸には上端部を取っ手に回動自在に取り付けた第３のリンク材の下端部を回動自在に取り付けたことを特徴とする折畳み式テーブル。
【請求項５】
操作部のスライドバーに弾性部材を設けないで、取っ手の作動を第２のリンク材に連動させたことを特徴とする請求項４に記載の折畳み式テーブル。
【発明の詳細な説明】
【０００１】
【発明の属する技術分野】
本発明は、テーブル使用時には天板を水平に保持し、テーブル折り畳み時には天板を垂直に起立させて跳ね上げて折り畳む、折畳み式テーブルに関する。
【０００２】
【従来の技術】
テーブル使用時には一枚の天板を水平に保持し、テーブル折り畳み時には該天板を垂直に起立させて跳ね上げて折り畳む構造の折畳み式テーブルの従来技術として特開平１０−２７６８３８号公報に記載のものがある。
【０００３】
【発明が解決しようとする課題】
(１)上記特開平１０−２７６８３８号公報に記載のものは、奥行き幅が狭く左右幅が比較的長いテーブルに採用されるテーブルの構造である。
ところで、１枚の幅の広い天板を使用するテーブルの場合には、天板の剛性を維持するために、天板の肉厚を厚くする必要がり、その結果、テーブルの重量は重くなり、また、支柱部分に荷重が集中するため支柱を幅広の構造にしなければならなくなるという問題点がある。
また、支柱を幅のある構造とした場合には、効率良くネスティング状態で収納することが困難となるという問題点がある。
(２)また、前記公報に記載のテーブルでは、天板の回転軸は中央に位置していないため、重量のある１枚ものの天板を跳ね上げるのに労力を有し、取り扱いも面倒で作業性が悪い。又製作費のコストが高くなるという問題点がある。
(３)更に、前記公報に記載のテーブルでは、天板の回転軸は中央になく偏っているため、天板を垂直に跳ね上げた状態では全高が高くなり不安定となる。従って、全体のバランスが悪く、取り扱いが面倒であるという問題点がある。
本発明は上記問題点に鑑み案出されたもので、一枚の幅の広い天板を保持する為の筋交い構造によりテーブル使用時には天板を水平に安定に保持し、筋交い構造を設けてもテーブル折り畳み時には跳ね上げて簡単に折り畳み可能で、かつ収納時はネスティング容易な折畳み式テーブルの提供を目的としている。
【０００４】
【課題を解決するための手段】
上記、従来技術の課題を解決するための手段として、請求項１に記載した発明に係る折畳み式テーブルは、
テーブル使用時には天板を水平に保持し、テーブル折り畳み時には天板を垂直に折り畳む、跳ね上げ構造の折畳み式テーブルにおいて、
天板の裏面に、左右パイプと奥行きパイプを配置した長方形状のベースフレームを固定し、該左右パイプの中央には取付具を固定し、この取付具に軸を支点に回動自在に脚柱の上端を取り付け、該脚柱の下端を底面にキャスターを取り付け、奥行き方向に配置された左右の脚部のほぼ中央に配置して脚柱を垂直に起立させ、テーブルを折り畳んだ時ネステイング可能に、左右の脚柱同士の脚部より上方位置を第１の横軸で連結し、
天板を水平に保持する時は、伸張部を上端部に設けた第１のリンク材とこれに隣接して配置される、ほぼ中間に屈曲部を設けた第２のリンク材とでＶ字状に保持するように、前記奥行きパイプのいずれか一方には前記第１のリンク材の伸張部の先端部を回動自在に取り付けると共に、他方の奥行きパイプには前記第２のリンク材の先端部を回動自在に取り付け、かつ第１及び第２のリンク材の下端部前記第１の横軸に回動自在に取り付けたことを特徴とし、筋交い構造となる各リンク材は、第1のリンク材が伸長すると共に第２のリンク材が屈曲しながら折り畳み、天板が垂直に起立するネスティング可能な折畳み式テーブルである。
【０００５】
請求項２に記載した発明に係る折畳み式テーブルは、請求項１の脚柱の下端は、左右の脚部間を連結した第１の横軸に垂直に起立させたことを特徴とし、脚柱の中間位置が障害物に干渉する場合等に好ましい。
【０００６】
請求項３に記載した発明に係る折畳み式テーブルは、請求項１又は２の第２のリンク材は、第１のリンク材より中央寄りに配置したことを特徴とし、操作部を設けるのに好ましい構成とされている。
【０００７】
請求項４に記載した発明に係る折畳み式テーブルは、テーブル使用時には天板を水平に保持し、テーブル折り畳み時には天板を垂直に折り畳む、跳ね上げ構造の折畳み式テーブルにおいて、
天板の裏面に、左右パイプと奥行きパイプで長方形状のベースフレームを固定し、天板の中央裏面には、連結具を介して手前側に取っ手を設け、後側にストッパーを設けた、弾性部材の作用で奥行き方向に所定距離移動可能なスライドバーを固定した操作部を配置し、該左右パイプの中央には取付具を固定し、この取付具に軸を支点に回動自在に脚柱の上端を取り付け、該脚柱の下端を底面にキャスターを取り付けた奥行き方向に配置された左右の脚部のほぼ中央に配置して脚柱を垂直に起立させ、テーブルを折り畳んだ時ネステイング可能に、左右の脚柱同士の脚部より上方位置を第１の横軸で連結し、
天板を水平に保持する時は、伸張部を上端部に設けた第１のリンク材とこれに隣接して配置される、ほぼ中間に屈曲部を設けた第２のリンク材とでＶ字状に保持するように、奥行きパイプのいずれか一方には前記第１のリンク材の伸張部の先端部を回動自在に取り付けると共に、他方の奥行きパイプには前記第２のリンク材の先端部を回動自在に取り付け、第１及び第２のリンク材の下端部は第１の横軸に回動自在に取り付け、かつ前記第２のリンク材の屈曲部より下方部位同士を第２の横軸に連結し、この第２の横軸には上端部を取っ手に回動自在に取り付けた第３のリンク材の下端部を回動自在に取り付けたことを特徴とし、取っ手の作動を第２のリンク材に連動して第２のリンク材が屈曲しながら折り畳んで天板が起立し、更にテーブル使用時には、第２のリンク材が不用意に屈曲しないようにされている。
【０００８】
請求項５に記載した発明に係る折畳み式テーブルは、請求項４の操作部のスライドバーに弾性部材を設けないで、取っ手の作動を第２のリンク材に連動させたことを特徴としている。
【０００９】
【作用】
テーブル使用時には、図１のように、第１のリンク材と第２のリンク材とを二等辺三角形のＶ字状に配置してベースフレームが保持されて天板を水平に保持する。
また、図７のように、第１のリンク材と第２のリンク材とを二等辺三角形のＶ字状に配置し、かつ第３のリンク材を第２のリンク材に筋交い状に配置し、弾性部材の作用で第２のリンク材を押圧して該第２のリンク材が屈曲しないようにロックしてベースフレームが保持され、天板を水平に保持する。
他方、テーブル折り畳み時には、図１１のように取っ手を手前側に引き、第２のリンク材を屈曲部から内側に屈曲させると同時に、天板を軽く持ち上げることに伴って、第１のリンク材の伸張部が伸張し、合わせてスライドバーが戻る方向にスライドし、天板を回動させて天板を垂直に跳ね上げるものである。更に図７のようにスライドバーに弾性部材を設ければ取っ手の戻りをよりスムーズに行える。
図１〜図４の第３のリンク材を設けないテーブルの場合も、同様に第２のリンク材を屈曲部から内側に屈曲させると同時に、天板を軽く持ち上げることに伴って、第１のリンク材の伸張部が伸張し、天板を跳ね上げて垂直にし、折り畳むものである。
また、折り畳んだテーブルの脚部と第１の横軸により平面視Ｈ字形となり、脚部のフロアーからの高さが、第１の横軸のフロアーＧからの高さより低い為、後側の折り畳みテーブルの脚部が、前側の折り畳みテーブルの第１の横軸とフロアーとで出来た空間に潜り込めるので、図１３のように多数台のテーブルを縦列させてネスティングできる。
【００１０】
【発明の実施の形態】
本発明における折畳み式テーブルの実施の形態を図１〜図１３により説明する。
本発明は、テーブル使用時には、図１、図７、図９のように天板２を水平に保持し、他方、テーブル折り畳み時には、図１１、図１２のように天板２を垂直に折り畳む、跳ね上げ構造の折畳み式テーブルに関するものである。
図１から図３は第１実施例に関するものであり、表面をテーブル面とした天板２の裏面には、左右パイプ２２a、２２bと奥行きパイプ２２ｃ、２２ｄで長方形状に形成されたベースフレーム２２が固定されている。
このベースフレーム２２の奥行きは、天板２の奥行きとほぼ同じとしてもよいし、左右幅は天板２の左右幅よりやや幅狭としてもよい（図２参照）。
前記左右パイプ２２ａ、２２ｂの長手方向中央には取付具５２を固定し、この取付具５２には軸５２aを支点に回動自在に脚柱５の上端５１が取り付けられている。
また、脚柱５の下端５３は、底面にキャスター５６を取り付け、奥行き方向に配置された左右の脚部５５のほぼ中央に配置し、取付具５４を介して脚柱５を垂直に起立固定している。左右の脚柱５、５同士の脚部５５より上方位置で、テーブルを折り畳んだ時ネステイング可能に第１の横軸６で連結している（図３参照）。
なお、脚部５５の底面にキヤスター５６を取り付けたのは、大きな１枚ものの天板を用いたテーブルを移動し収納する場合に簡単に移動可能とするためである。
さらに、天板２を水平に保持する時は、第１のリンク材３と第２のリンク材３４でＶ字状に保持するように構成され、天板２を筋交い状に保持している。前記第１のリンク材３は、ガスダンパーのように所定距離伸張する伸張部３１を上端部に設け、これに隣接して配置される第２のリンク材３４は、ほぼ中間に屈曲部３５を設けてあり、奥行きパイプ２２ｃ、２２ｄのいずれか一方、例えば図１では奥行きパイプ２２ｃに第１のリンク材３の伸張部３１の先端部３２を回動自在に取り付けている。また、他方の奥行きパイプ、例えば図１では奥行きパイプ２２ｄには前記第２のリンク材３４の先端部３６が回動自在に取り付けられている。さらに、第１及び第２のリンク材の各下端部３３、３７は前記第１の横軸６に回動自在に取り付けられている。尚、第１のリンク材３と第２のリンク材３４は実施例では左右1対で実施されているが、これに限るものではなく各２個以上設けても良いし、第１のリンク材３と第２のリンク材３４が相対する状態にあれば第１のリンク材３を、第２のリンク材３４より中央寄りに配置しても良い。（図示は省略）
本発明におけるテーブルの前記パイプは、剛性の高い金属製パイプの表面に合成樹脂を被覆したパイプを使用するのがよい。また、継手、取付具、固定具は金属、合成樹脂製の比較的軽量なものを使用するのがよい。
また、パイプと継手等で構成されている為、設置場所に合わせた変更が可能で脚柱５の中間部位が設置場所で障害物に当たる場合には、第２実施例、図４のように脚柱５の下端５３は、左右の脚部５５間を連結した第１の横軸６に垂直に起立させてもよい。
さらに、操作部４４ａを設けるのに好ましい構成とされている請求項３に記載した第３、４実施例では、取っ手の作動を第２のリンク材３４に伝達する第２の横軸６１が折り畳む時に第１のリンク材との干渉で支障が発生することがないように、第２のリンク材３４は、第１のリンク材３より中央寄りに配置されている。
【００１１】
次に、図６〜図７により、請求項４に記載した第３実施例の折畳み式テーブルを説明すると、第３実施例は、第１実施例と同様の跳ね上げ構造の折畳み式テーブルに関するものである。
天板フレーム２１を持ち表面をテーブル面とした天板２の裏面には、第１実施例と同様に、左右パイプ２２a、２２bと奥行きパイプ２２ｃ、２２ｄで構成された長方形状のベースフレーム２２が固定されている。
また、天板２の中央裏面で、天板２を上面に取り付けてパイプで形成された天板フレーム２１に横架させた横パイプ２３,２３には、手前側に取っ手４３を設け、後側にストッパー４６を設け、図７、図８のようなスプリングやゴム部材等の弾性部材４５の作用で奥行き方向に所定距離移動可能なスライドバー４４を連結具２５を介して固定した操作部４４ａが配置されている。
更に、操作部４４ａは、折り畳まれる第２のリンク材３４の屈曲部３５より下方例えば中間部位同士を第２の横軸６１で連結してあり、この第２の横軸６１には上端部４２を取っ手４３に回動自在に取り付けた第３のリンク材４の下端部４１が回動自在に取り付けてあって、取っ手作動を第２のリンク材３４に連動させてあるので、取っ手４３を手前に引く動きが第２のリンク材３４を屈曲させ、手元操作によって天板２の折り畳みを可能にしている。  また、図１１のように、第２の横軸６１と第２のリンク材３４との連結部６２は固定されており、第２のリンク材３４の折り畳む作動に合わせて連結部６２の相対的位置が動く為、取っ手４３がスライドして戻るようになっている。更に弾性部材４５があればこの動きはよりスムーズに行える。
また、第４の実施例の図９、図１０のように、操作部４４ａのスライドバー４４に弾性部材４５を設けないで、取っ手４３の作動を第２のリンク材３４に連動させてもよい。
また、脚柱５の下端５３は、底面にキャスター５６を取り付け、奥行き方向に配置された左右の脚部５５のほぼ中央に配置し、取付具５４を介して脚柱５を垂直に起立固定している。左右の脚柱５、５同士の脚部５５より上方位置は、テーブルを折り畳んだ時ネステイング可能に第１の横軸６で連結している。
【００１２】
【発明の効果】
本発明は上述のように構成したため、次のような効果を奏する。
(１)請求項１に記載の発明によれば、テーブル使用時は、天板は第１のリンク材と第２のリンク材により二等辺三角形状のＶ字形に保持されて、天板は水平に安定に保持できる。一方、テーブル折り畳み時は、大きな１枚の天板を使用したテーブルでも、第２のリンク材を中央の屈曲部から内側に屈曲させるだけで、天板は軽い力で回動され、簡単に折り畳むことができる。従って、大きな１枚の天板を使用したテーブルでも、簡単かつ容易に折り畳みできる。
(２)請求項２に記載の発明によれば、脚柱の中間位置が障害物に干渉する場合等に好ましい構成である。
(３)請求項３に記載の発明によれば、折り畳む時に、取っ手の作動を第２のリンク材に伝達する第２の横軸が第１のリンク材と干渉して支障が発生することがないように、操作部を設けるのに好ましい構成である。
(４)請求項４、請求項５の記載の発明によれば、テーブル使用時は、第１のリンク材と第２のリンク材とを二等辺三角形状のＶ字形とし、かつ第３のリンク材を筋交い状に配置して天板を水平に保持するため、天板は安定に保持できる。
一方、テーブル折り畳み時は、大きな１枚の天板を使用したテーブルでも、取っ手を手前に引いて第３のリンク材を中央から内側に屈曲させ、支持フレームの手前側フレームをやや持ち上げるだけで、支持フレームは軽い力で回動し、簡単に折り畳むことができる。
また、天板を脚柱と３本のリンク材により水平に保持する構造とし、かつ軽量なパイプと継手とで組み立てられている構造のテーブルであるため、大きな１枚の天板を使用しても製品は軽量にでき、天板を水平にして使用する時、折り畳む時等の取り扱いが容易であり、運搬もし易い。又幅の広い１枚の厚肉天板にする必要がないのでテーブルは安価に製作できる。
更に、天板の回転支点は左右パイプの中央に配置してあるため、折り畳んだ状態での全高は天板の奥行き幅のほぼ半分の高さにできる。従って、天板を跳ね上げて折り畳んだ時の全高を低くできるため、全体的にバランスのよい、かつ安定性の高いテーブルを提供できる。
また、テーブルの左右の脚部と第１の横軸とは平面視Ｈ字形となるため、多数台のテーブルをネスティングして収納でき、少ない面積で沢山のテーブルが収納できる、極めて収納性にも優れている。
(５) 請求項４、請求項５に記載の発明によれば、取手を少しの力で所定方向（手前側）に動かすだけで第３のリンク材を中央から内側に折曲させて天板を回動でき、テーブルを簡単に折り畳むことができる。
（６）請求項４の発明によれば、テーブル使用時には、第２のリンク材が不用意に屈曲しないようにされ、安全面にも配慮した構成とされている。
【図面の簡単な説明】
【図１】本発明における第１実施例の、天板を水平に保持した時の右側面図である。
【図２】本発明における第１実施例の、天板を水平に保持した時の一部切欠平面図である。
【図３】本発明における第１実施例の、天板を水平に保持した時の正面図である。
【図４】本発明における第２実施例の、天板を水平に保持した時の正面図である。
【図５】本発明における第３実施例で、天板を水平に保持した時の一部切欠平面図である。
【図６】本発明における第３実施例で、天板を水平に保持した時の正面図である。
【図７】本発明における第３実施例で、天板を水平に保持した時の側面図である。
【図８】第３実施例の取っ手、スライドバー周辺の側面図である。
【図９】本発明における第４実施例で、天板を水平に保持した時の側面図である。
【図１０】第４実施例の取っ手、スライドバー周辺の側面図である。
【図１１】第４実施例で、天板を垂直方向に回動させて折り畳む途中の側面図である。
【図１２】第３実施例のテーブルを折り畳んだ時の側面図である。
【図１３】複数台の第３実施例のテーブルをネステングした時の側面図である。
【符号の説明】
１      折畳み式テーブル
２      天板
２１    天板フレーム
２２    ベースフレーム
２２ａ  左パイプ
２２ｂ  右パイプ
２２ｃ  奥行きパイプ
２２ｄ  奥行きパイプ
２５    連結具
３      第１のリンク材
３１    伸張部
３２    先端部
３３    下端部
３４    第２のリンク材
３５    屈曲部
３６    先端部
３７    下端部
４      第３のリンク材
４１    下端部
４２    上端部
４３    取っ手
４４    スライドバー
４４ａ  操作部
４５    弾性部材
４６    ストッパー
５      脚柱
５２    取付具
５２ａ  軸
５５    脚部
５６    キャスター
６      第１の横軸
６１    第２の横軸
６２    連結部
Ｇ      フロアー
【図１】
0004565440.tif 000002
【図２】
0004565440.tif 000003
【図３】
0004565440.tif 000004
【図４】
0004565440.tif 000005
【図５】
0004565440.tif 000006
【図６】
0004565440.tif 000007
【図７】
0004565440.tif 000008
【図８】
0004565440.tif 000009
【図９】
0004565440.tif 000010
【図１０】
0004565440.tif 000011
【図１１】
0004565440.tif 000012
【図１２】
0004565440.tif 000013
【図１３】
0004565440.tif 000014